(57)【要約】【課題】高い精度でかつ簡単な操作でパララックスを調整することができ、調整時間の短縮を図ることのできるカメラのパララックス補正装置を提供する。【解決手段】パララックス補正装置１は、ファインダ光学系２を構成する複数のレンズのうち特定のレンズをパララックス補正用レンズＬとし、このパララックス補正用レンズＬを、光軸Ａと直交する平面Ｂ内で互いに直角に交わる２軸方向Ｘ、ＹのうちＹ軸方向に回転によりシフトさせる回転調整手段（回転案内部３１、溝部４１，…）と、回転調整手段によってシフトしたパララックス補正用レンズＬを、Ｘ軸方向にスライドによりシフトさせるスライド調整手段（調整ネジ５、ネジ孔３ｂ、バネ部材６）とを備えている。また、パララックス補正用レンズＬは、光軸Ａが、回転調整手段により回転される回転中心Ｃに対して予め偏芯するように配置されている。【選択図】        図１
2005017889.tif 000002
【特許請求の範囲】
【請求項１】
撮像光学系と、該撮像光学系とは異なる光軸を有するファインダ光学系とを備えたカメラのパララックス補正装置であって、
前記ファインダ光学系を構成する複数のレンズのうち特定のレンズをパララックス補正用レンズとし、該パララックス補正用レンズを、前記光軸と直交する平面内で互いに直角に交わる２軸方向のうち一方向に回転によりシフトさせる回転調整手段と、
前記回転調整手段によってシフトしたパララックス補正用レンズを、前記２軸方向のうち他方向にスライドによりシフトさせるスライド調整手段とを備え、
前記パララックス補正用レンズは、前記光軸が、前記回転調整手段により回転される回転中心に対して予め偏芯するように配置されていることを特徴とするカメラのパララックス補正装置。
【請求項２】
前記回転中心に対する前記光軸の偏芯量は、前記回転調整手段及び前記スライド調整手段によって調整される調整量以上となるように設定されていることを特徴とする請求項１に記載のカメラのパララックス補正装置。
【発明の詳細な説明】
【０００１】
【発明の属する技術分野】
本発明は、撮像光学系と、該撮像光学系とは異なる光軸を有するファインダ光学系とを備えたカメラのパララックス補正装置に関する。
【０００２】
【従来の技術】
撮像光学系と、この撮像光学系とは異なる光学系で構成されるファインダとを備えたカメラでは、撮像光学系の被写体像とファインダに映される被写体像との間にパララックスが発生してしまうという問題がある。そのため、カメラを組み立てる際に、所定の距離に配置された被写体に関してパララックスが生じないようにパララックスを調整している。
このようなパララックスの調整として、ファインダ光学系を構成する各部品の一部を調整することで撮像光学系の光軸とファインダ光学系の光軸とを近づけることが可能とされている。
具体的には、光軸と直交する面でファインダを対物側と接眼側とに分け、これらの位置関係を調整することが知られている（特許文献１参照）。
また、光軸と直交する平面内で、互いに直角に交わる２軸方向、すなわち、Ｘ軸方向及びＹ軸方向に対してレンズをシフトさせることによって調整する場合がある。調整方法としては、図４に示すように、撮像光学系の中心を見ながらファインダを覗き、ファインダハウジング１００の側壁部のネジ孔に螺合する調整ネジ１０１、上壁部のネジ孔に螺合する調整ネジ１０２をそれぞれ調整しながら、レンズＬを動かすことによって撮像光学系の光軸とファインダ光学系の光軸とを近づけている。なお、図４中、符号１０３は付勢力によってレンズＬの外周面を保持するバネ部材である。
【０００３】
【特許文献１】
特開平６−２８１９９６号公報
【０００４】
【発明が解決しようとする課題】
しかしながら、上記特許文献１に記載のパララックス調整方法では、部品点数が多くなり、組み立てに手間がかかり、その調整も微妙かつ複雑なため高度な熟練を要するものであった。また、スペーサを交換して位置調整を行う構成となっているため、調整操作が複雑になるという問題もある。
一方、図４の場合では、２軸方向のうち例えばＸ軸方向にレンズＬをシフトさせる際に、Ｙ軸方向にも動いてしまうことがあり、自由度が２のため像が揺れて見づらく、調整が困難かつ時間がかかり量産性に優れないという問題がある。
【０００５】
本発明は、上記事情に鑑みてなされたもので、高い精度でかつ簡単な操作でパララックスを調整することができ、調整時間の短縮を図ることのできるカメラのパララックス補正装置を提供することを課題としている。
【０００６】
【課題を解決するための手段】
上記課題を解決するために、請求項１の発明は、例えば、図１（ａ）、（ｂ）、図２、図３に示すように、撮像光学系と、該撮像光学系とは異なる光軸Ａを有するファインダ光学系２とを備えたカメラのパララックス補正装置１であって、
前記ファインダ光学系を構成する複数のレンズのうち特定のレンズをパララックス補正用レンズＬとし、該パララックス補正用レンズを、前記光軸と直交する平面Ｂ内で互いに直角に交わる２軸方向Ｘ、Ｙのうち一方向（例えば、Ｙ軸方向）に回転によりシフトさせる回転調整手段（例えば、回転案内部３１、溝部４１，…）と、
前記回転調整手段によってシフトしたパララックス補正用レンズを、前記２軸方向のうち他方向（例えば、Ｘ軸方向）にスライドによりシフトさせるスライド調整手段（例えば、調整ネジ５、ネジ孔３ｂ、バネ部材６）とを備え、
前記パララックス補正用レンズは、前記光軸が、前記回転調整手段により回転される回転中心Ｃに対して予め偏芯するように配置されていることを特徴とする。
【０００７】
請求項１の発明によれば、回転調整手段とスライド調整手段とを備え、パララックス補正用レンズは、光軸が、回転調整手段により回転される回転中心に対して予め偏芯するように配置されているので、パララックス補正用レンズが、回転調整手段により光軸と直交する平面内で互いに直角に交わる２軸方向のうち一方向に回転によりシフトされることで、光軸が例えば上下方向に移動する。そして、回転されたパララックス補正用レンズは、スライド調整手段により２軸方向のうち他方向にスライドによりシフトされることによって、光軸が例えば左右方向に移動する。その結果、高い精度で撮像光学系の被写体像とファインダ光学系の被写体像とが一致する。
このように、回転調整手段によって、まず、パララックス補正用レンズの光軸が２軸方向のうち一方向に移動することで、スライド調整手段により他方向にスライドによりシフトする際に、パララックス補正用レンズの自由度は１となり、パララックス補正用レンズの移動が規制される。そのため、図４に示す従来例に比べて、パララックス補正用レンズを安定した状態で、スライド調整手段によりシフトさせ調整することができる。したがって、簡単な操作でパララックスを調整することができ、調整時間の短縮も図ることができ、量産性に優れる。
【０００８】
請求項２の発明は、例えば、図３に示すように、請求項１に記載のカメラのパララックス補正装置において、
前記回転中心に対する前記光軸の偏芯量ａは、前記回転調整手段及び前記スライド調整手段によって調整される調整量以上となるように設定されていることを特徴とする。
【０００９】
請求項２の発明によれば、回転中心に対する光軸の偏芯量は、回転調整手段及びスライド調整手段によって調整される調整量以上となるように設定されているので、撮像光学系の被写体像とファインダ光学系の被写体像とを高い精度で一致させることができる。
【００１０】
【発明の実施の形態】
以下、本発明の実施の形態を図面に基づいて説明する。
図１は、本発明に係るカメラのパララックス補正装置を示した概略図であり、（ａ）は正断面図、（ｂ）は（ａ）の概略平断面図、図２及び図３は、パララックス補正用レンズを説明するための図である。
本発明に係るカメラのパララックス補正装置は、撮像光学系と、該撮像光学系とは異なる光軸を有するファインダ光学系との間に生じるパララックスを調整するものである。
【００１１】
図１（ａ）、（ｂ）、図２に示すように、パララックス補正装置１は、撮像光学系（図示しない）と、ファインダ光学系２と、該ファインダ光学系２を収納するファインダハウジング３と、ファインダハウジング３に回転自在に設けられてファインダ光学系２を保持するレンズ保持枠４とを備えている。
また、後述するが、ファインダ光学系２を構成する複数のレンズのうち特定のレンズであるパララックス補正用レンズＬを、図３に示すように、光軸Ａと直交する平面Ｂ内で互いに直角に交わる２軸方向Ｘ、ＹのうちＹ軸方向（以下、上下方向と言う）に回転によりシフトさせる回転調整手段と、回転調整手段によってシフトしたパララックス補正用レンズＬを、Ｘ軸方向（以下、左右方向と言う）にスライドによりシフトさせるスライド調整手段とを備えている。
【００１２】
以下、各構成について詳細に説明する。
ファインダ光学系２は、物体側から眼球側に向かって順に、正の屈折力を有する対物レンズ系と、正立化のための中間光学系（例えば、プリズム等）（図示しない）と、正の屈折率を有する接眼レンズ系（図示しない）とを備え、これらがファインダハウジング３内において光軸Ａ上に配置されている。
【００１３】
対物レンズ系は複数のレンズを備えており、これら複数のレンズのうち物体側に位置する１つのレンズがパララックス補正用レンズＬとされている。
【００１４】
ファインダハウジング３は、その内壁面のうちレンズ保持枠４の外周面に当接する上下面が、レンズ保持枠４の回転を支持する回転案内部３１とされている。
【００１５】
レンズ保持枠４は、円筒状をなしており、ファインダハウジング３の回転案内部３１に沿って回転可能に支持されている。また、レンズ保持枠４の内部には、パララックス補正用レンズＬが嵌め込まれ、これによってパララックス補正用レンズＬが保持され、ファインダハウジング３の前面壁部に形成された開口部３ａを閉塞している。
ここで、パララックス補正用レンズＬは、光軸Ａが、レンズ保持枠４及びパララックス補正用レンズＬが回転する回転中心Ｃに対して予め偏芯するようにレンズ保持枠４内に配置されている。この際の、回転中心Ｃに対する光軸Ａの偏芯量ａは、パララックス補正用レンズＬの上下方向及び左右方向の調整量以上となるように設定されている。すなわち、図３に示すように、調整前における光軸Ａと回転中心Ｃとの間の距離（偏芯量）ａ≧調整後における光軸Ａと回転中心Ｃとの間の距離（調整量）とされている。なお、図３では、光軸Ａは、回転中心Ｃに対して左右方向にのみ偏芯されているが、上下方向及び左右方向に偏芯させても良い。
【００１６】
また、レンズ保持枠４の前面部には所定間隔で８つの溝部４１，…が形成されている。これら溝部４１，…は、後述するがパララックスの調整の際に、指もしくは治具が引っ掛けられるようになっており、レンズ保持枠４がファインダハウジング３の回転案内部３１に沿って回転するようになっている。これら溝部４１，…及びファインダハウジング３の回転案内部３１によって本発明の回転調整手段が構成されている。
【００１７】
一方、ファインダハウジング３の側壁部には、該側壁部を貫通するネジ孔３ｂが形成されており、このネジ孔３ｂに調整ネジ５が螺合し、調整ネジ５はレンズ保持枠４の外周面に当接している。
また、ファインダハウジング３には、レンズ保持枠４の外周面のうち調整ネジ５が当接している側と反対側（図１（ａ）中レンズ保持枠４の右側）の外周面に当接するバネ部材６が設けられている。
そして、調整ネジ５をネジ孔３ｂに螺合させレンズ保持枠４の外周面に当接させることによって、レンズ保持枠４がスライドして左右方向にシフトするようになっている。これら調整ネジ５、ネジ孔３ｂ及びバネ部材６によって本発明のスライド調整手段が構成されている。
【００１８】
なお、図１（ｂ）中符号７は、ファインダハウジング３の前面壁部に形成された開口部３ａを塞ぐカバー部材である。
【００１９】
次に、上述の構成をなしたパララックス補正装置１を用いてパララックスを調整する場合について説明する。
まず、図示しないが設置台の一端部近傍にファインダ光学系２の被写体像を映し出すターゲット板を固定しておく。そして、このターゲット板の前面から所定間隔をあけて、設置台の他端部に、カバー部材７を取り付ける前の、本発明のパララックス補正装置１を備えたカメラ本体を設置する。そして、ファインダを通してターゲット板（つまり、ファインダ光学系２に入射し、ターゲット板に映し出されたファインダ光学系２の被写体像）を観察しながら、レンズ保持枠４に形成された溝部４１，…に指もしくは治具を引っ掛けながらレンズ保持枠４及びパララックス補正用レンズＬを回転させて、撮像光学系の光軸とファインダ光学系２の光軸Ａとを近づける。
このようにパララックス補正用レンズＬを回転させることによって、予め、回転中心Ｃに対して偏芯していた光軸Ａが上下方向にシフトする。また、このとき、レンズ保持枠４の外周面は、ファインダハウジング３の回転案内部３１、調整ネジ５及びバネ部材６に当接しながら回転するため、像がぶれることなく安定した状態で回転する。
【００２０】
このようにパララックス補正用レンズＬの上下方向の位置決めをした後に、調整ネジ５をネジ孔３ｂに螺合させつつ、レンズ保持枠４の外周面に当接させ、レンズ保持枠４をスライドにより左右方向にシフトさせて、撮像光学系の光軸とファインダ光学系２の光軸Ａとを近づける。
具体的には、調整ネジ５をネジ孔３ｂに螺合させる方向にねじ込んでいき、レンズ保持枠４の外周面に当接させると、バネ部材６の付勢力に抗してレンズ保持枠４は右側にシフトする。一方、調整ネジ５をネジ孔３ｂから弛めていくと、バネ部材６の付勢力によってレンズ保持枠４は左側にシフトする。このように調整ネジ５の調整を行うことにより、パララックス補正用レンズＬの左右方向の位置決めを行い、撮像光学系の被写体像とファインダ光学系２の被写体像とを一致させる。
以上のように、パララックスを調整した後、ファインダハウジング３に形成された開口部３ａを塞ぐようにカバー部材７を取り付ける。
【００２１】
以上、本発明の実施の形態のカメラのパララックス補正装置１によれば、レンズ保持枠４に形成された溝部４１，…を用いてパララックス補正用レンズＬを回転案内部３１に沿って回転させることにより、光軸Ａが上下方向に移動する。そして、調整ネジ５及びバネ部材６によってパララックス補正用レンズＬを左右方向にスライドによりシフトさせることによって、光軸Ａが左右方向に移動する。その結果、撮像光学系の被写体像とファインダ光学系２の被写体像とが高い精度で一致することになる。
このようにパララックス補正用レンズＬは回転案内部３１に沿って回転し、調整ネジ５で左右方向にスライドによりシフトされる際に、パララックス補正用レンズＬの自由度は１となり、その移動が規制されるため、安定した状態で調整することができる。したがって、簡単な操作でパララックスを調整することができ、調整時間の短縮も図れ、量産性に優れる。
【００２２】
なお、本発明は、上記実施の形態に限定されるものではなく、その要旨を逸脱しない範囲で適宜変更可能である。
例えば、本実施の形態では、パララックス補正用レンズＬは、レンズ保持枠４とともに回転及びスライドによりシフトするように構成されていたが、パララックス補正用レンズＬのみを回転及びスライドによりシフトするような構成としても良い。
また、対物レンズ系を構成する複数のレンズのうち物体側に位置する１つのレンズをパララックス補正用レンズＬとしたが、複数のレンズからなるレンズ群をパララックス補正用レンズとしても良い。
【００２３】
さらに、本実施の形態では、まず、回転によりパララックス補正用レンズＬ及びレンズ保持枠４を上下方向にシフトさせ、その後、左右方向にスライドによりシフトする構成であったが、調整ネジ５、ネジ孔３ｂ及びバネ部材６の位置等を変更することによって、まず、回転により左右方向にシフトさせ、その後、上下方向にスライドによりシフトする構成としても良い。
【００２４】
【発明の効果】
本発明に係るカメラのパララックス補正装置によれば、高い精度でかつ簡単な操作でパララックスを調整することができ、調整時間の短縮を図ることができる。
【図面の簡単な説明】
【図１】本発明に係るカメラのパララックス補正装置を示す概略図であり、（ａ）は正断面図、（ｂ）は平断面図である。
【図２】パララックス補正用レンズを説明するための図である。
【図３】パララックス補正用レンズを説明するための図である。
【図４】従来例におけるカメラのパララックス補正装置を示す概略正断面図である。
【符号の説明】
１  パララックス補正装置
２  ファインダ光学系
３  ファインダハウジング
３ｂ    ネジ孔（スライド調整手段）
３１  回転案内部（回転調整手段）
４１  溝部（回転調整手段）
５  調整ネジ（スライド調整手段）
６  バネ部材（スライド調整手段）
ａ    偏芯量
Ａ  光軸
Ｂ  平面
Ｃ  回転中心
Ｌ  パララックス補正用レンズ
Ｘ、Ｙ  ２軸方向
【図１】
2005017889.tif 000003
【図２】
2005017889.tif 000004
【図３】
2005017889.tif 000005
【図４】
2005017889.tif 000006